(57)【特許請求の範囲】
【請求項１】
建物の窓取付用の開口部の室外側に取り付けた外窓と、その開口部の室内側に取り付けた内窓を備えた二重窓であって、
前記内窓の窓枠は、障子装着部を有した樹脂製の下枠と、樹脂製の上枠と、樹脂製の左右の縦枠を備え、
前記開口部の下内面に、前記樹脂製の下枠の面外方向全長が接する窓枠取付部を有したアルミ製の下枠アタッチメントを取り付け
前記内窓の窓枠は、その下枠の面外方向全長を下枠アタッチメントの窓枠取付部に接し、上枠を開口部の上内面、左右の縦枠を開口部の左右の縦内面に取り付けたことを特徴とする二重窓。
【請求項２】
前記下枠アタッチメントは、室内側の窓枠取付部と室外側の取付部を備え、その取付部を開口部の下内面に固着具で固着して取り付け、前記窓枠取付部に窓枠の下枠を接した請求項１記載の二重窓。
【請求項３】
前記下枠アタッチメントの窓枠取付部の室内側部に上向き突条を有し、
前記下枠アタッチメントの取付部の室外側端が、外窓の下枠の室内側面に設けた取付片の上に接している請求項２記載の二重窓。
【請求項４】
前記下枠アタッチメントの窓枠取付部を、左右方向に連続した上向き凹陥形状とし、
前記内窓の窓枠を構成する左右の縦枠は、室内側内向片と室外側内向片を有し、かつその下端部が前記下枠アタッチメントの窓枠取付部に嵌まり合うものとし、
前記上枠、下枠は、その長手方向両端部が左右の縦枠の室内側内向片と室外側内向片との間に嵌まり合うようにした請求項２又は３記載の二重窓。
【請求項５】
前記左右の縦枠を開口部の左右の縦内面に接着剤で接着して取り付け、
前記上枠を開口部の上内面に接着剤で接着すると共に、固着具で固着して取り付け、
前記上枠、下枠の長手方向両端面を左右の縦枠の内面に接するようにした請求項４記載の二重窓。
【請求項６】
前記下枠アタッチメントの室内側の窓枠取付部に取り付けた下枠の上面が、その下枠アタッチメントの室外側の取付部の上面と同一面、又は少し高くなるようにした請求項２〜５いずれか１項に記載の二重窓。
【請求項７】
前記外窓は既設で、前記下枠アタッチメントと内窓は新設で、改装の二重窓とした請求項１〜６いずれか１項に記載の二重窓。
【発明の詳細な説明】
【技術分野】
【０００１】
本発明は、建物の窓取付用の開口部の室外側に取り付けた外窓と、その開口部の室内側に取り付けた内窓を備えた二重窓に関する。
【背景技術】
【０００２】
建物の窓取付用の開口部に外窓と内窓を取り付けた二重窓は、断熱性能と防音性能に優れているので、近年、既設の窓に内窓を取り付けて二重窓とすることが行われている。
例えば、特許文献１に開示したように内窓の窓枠を、上枠本体と取付体を連結体した上枠と、下枠本体と取付体を連結した下枠と、縦枠本体と取付体を連結した左右の縦枠を備えたものとし、その各取付体を、建物の窓取付用の開口部の室内側にそれぞれ取り付け、前記開口部の室外側に取り付けた外窓とで二重窓としたものが提案されている。
【先行技術文献】
【特許文献】
【０００３】
【特許文献１】実公昭６２−２２６２３号公報
【発明の概要】
【発明が解決しようとする課題】
【０００４】
前述した従来の二重窓は、内窓の窓枠を構成する上枠、下枠と左右の縦枠が、障子を装着するための本体と、開口部に取り付けるための取付体を備えているので、窓枠を構成する部材の数が多く、高価な内窓となってしまう。
このことを解消するには、内窓の窓枠を構成する上枠、下枠、左右の縦枠を、障子を装着するための本体に相当する形状とすることが考えられるが、このようにすると内窓が樹脂性の場合に、その下枠の剛性がアルミ製の下枠より弱いので、その下枠の障子装着部分、例えば下レール部分が障子重量で下向きに凹むことがあるので、建物の窓取付用の開口部の下内面における前述の下枠の障子装着部分が接する部分に応力が集中し、その下内面が変形する恐れがある。
特に、開口部の上下、縦内面に樹脂額縁を取り付けて耐水性を向上した浴室の開口部に、前述のように樹脂性の内窓を取り付けると、樹脂額縁における下枠の障子装着部分が接する部分に応力が集中し、その樹脂額縁が大きく変形することがある。
【０００５】
本発明の目的は、窓枠を構成する部材が少なく安価な内窓にできると共に、建物の窓取付用の開口部の下内面が応力集中によって変形することがない二重窓とすることである。
【課題を解決するための手段】
【０００６】
本発明は、建物の窓取付用の開口部の室外側に取り付けた外窓と、その開口部の室内側に取り付けた内窓を備えた二重窓であって、
前記内窓の窓枠は、障子装着部を有した樹脂製の下枠と、樹脂製の上枠と、樹脂製の左右の縦枠を備え、
前記開口部の下内面に、前記樹脂製の下枠の面外方向全長が接する窓枠取付部を有したアルミ製の下枠アタッチメントを取り付け
前記内窓の窓枠は、その下枠の面外方向全長を下枠アタッチメントの窓枠取付部に接し、上枠を開口部の上内面、左右の縦枠を開口部の左右の縦内面に取り付けたことを特徴とする二重窓である。
【０００７】
本発明は、前記下枠アタッチメントは、室内側の窓枠取付部と室外側の取付部を備え、その取付部を開口部の下内面に固着具で固着して取り付け、前記窓枠取付部に窓枠の下枠を接した二重窓とすることができる。
このようにすれば、外窓と内窓を面外方向に離隔して両者の間に空間を構成できるから、断熱性能、遮音性能がより優れたものとなる。
しかも、下枠アタッチメントの窓枠取付部には固着具が存在しないと共に、その窓枠取付部に内窓の窓枠の下枠を接してあるから、内窓を取り付けた状態で、その窓枠取付部から開口部の下内面に結露水等が流れることがなく、内窓を取り付けた後でも開口部の下内面の耐水性を損なうことがない。
【０００８】
本発明は、前記下枠アタッチメントの窓枠取付部の室内側部に上向き突条を有し、
前記下枠アタッチメントの取付部の室外側端が、外窓の下枠の室内側面に設けた取付片の上に接している二重窓とすることができる。
このようにすれば、窓枠の下部の室内側面が上向き突条に接することで、室内側にずれ落ちることがないし、窓枠を位置決めできる。
しかも、下枠アタッチメントに負荷する荷重の一部分を外窓の下枠で支持できる。
【０００９】
本発明は、前記下枠アタッチメントの窓枠取付部を、左右方向に連続した上向き凹陥形状とし、
前記内窓の窓枠を構成する左右の縦枠は、室内側内向片と室外側内向片を有し、かつその下端部が前記下枠アタッチメントの窓枠取付部に嵌まり合うものとし、
前記上枠、下枠は、その長手方向両端部が左右の縦枠の室内側内向片と室外側内向片との間に嵌まり合うようにした二重窓とすることができる。
このようにすれば、縦枠の下端部が窓枠取付部に嵌まり合うことで室内外側方向に位置決めされ、上枠、下枠の長手方向両端部が左右の縦枠の室内側内向片と室外側内向片との間に嵌まり合うことで室内外側方向に位置決めされる。
したがって、左右の縦枠を取り付けた後に、上枠、下枠を取り付けて窓枠を構成でき、その窓枠の取り付けが容易である。
【００１０】
本発明は、前記左右の縦枠を開口部の左右の縦内面に接着剤で接着して取り付け、
前記上枠を開口部の上内面に接着剤で接着すると共に、固着具で固着して取り付け、
前記上枠、下枠の長手方向両端面を左右の縦枠の内面に接するようにした二重窓とすることができる。
このようにすれば、左右の縦枠、上枠を接着して取り付けできるから、窓枠の取り付けが簡単である。
しかも、上枠は固着具で固着してあるから、接着が剥がれても上枠が脱落しないと共に、上枠、下枠によって縦枠を開口部の縦内面に押しつけて保持できるから接着が剥がれても縦枠が倒れることなない。
したがって、窓枠をしっかりと取り付けできる。
【００１１】
本発明は、前記下枠アタッチメントの室内側の窓枠取付部に取り付けた下枠の上面が、その下枠アタッチメントの室外側の取付部の上面と同一面、又は少し高くなるようにできる。
このようにすれば、結露水等が内窓の下枠の上面に溜まることがなく、下枠アタッチメントの取付部を経て外窓に向けて排水することが可能である。
【００１２】
本発明は、前記外窓は既設で、前記下枠アタッチメントと内窓は新設で、改装の二重窓とすることができる。
このようにすれば、外窓のみの既設の窓を、断熱性能と防音性能に優れた二重窓に簡単に改装できる。
【発明の効果】
【００１３】
本発明によれば、内窓の窓枠を構成する上枠、下枠、左右の縦枠を構成する部材が少なく安価な内窓である。
しかも、下枠の障子装着部に負荷する荷重は下枠アタッチメントの全面で支持するので、開口部の下内面に応力が集中することがなく、その下内面が変形することがない。
【図面の簡単な説明】
【００１４】
【図１】本発明の実施の形態を示す二重窓の縦断面図である。
【図２】本発明の実施の形態を示す二重窓の横断面図である。
【図３】下枠取付部分の拡大図である。
【図４】下枠アタッチメントと下枠、上枠、縦枠の斜視図である。
【図５】プラグの斜視図である。
【図６】上枠取付部分の拡大図である。
【図７】縦枠取付部分の拡大図である。
【図８】本発明の第２の実施の形態を示す縦断面図である。
【図９】本発明の第２の実施の形態を示す横断面図である。
【図１０】プラグの斜視図である。
【図１１】図８のＡ部拡大図である。
【発明を実施するための形態】
【００１５】
図１と図２に示すように、建物の窓取付用の開口部１の室外側に取り付けた外窓２と、その開口部１の室内側に取り付けた内窓３を備えている。これによって、二重窓としてある。前記外窓２は半外付けタイプとしている。
この実施の形態の二重窓は、既設の外窓２を備えた既設の窓に、新設の内窓３を後付けした改装の二重窓としてある。
前記外窓２は、窓枠２ａに障子２ｂを引き違いに装着した引き違い窓で、その窓枠２ａを構成する上枠２０、下枠２１、左右の縦枠２２は、その室内側面２０ａ，２１ａ，２２ａに、その室内側面２０ａ，２１ａ，２２ａよりも面外方向（室内外方向）の室内側に向かう取付片２３をそれぞれ備えている。
前記各取付片２３と建物の内装材４とに亘って樹脂額縁５をそれぞれ設け、各取付片２３から固着具６を建物躯体に固着することで、各樹脂額縁５の室外側部を固定し、各樹脂額縁５の室内側部を固着具７で内装材４に固定してある。
この固着具７は化粧キャップ７ａで覆われて室内から見えないようにしてある。
【００１６】
前記各樹脂額縁５によって開口部１の上内面１ａ、下内面１ｂ、縦内面１ｃを構成し、開口部１の外窓２と内装材４との間の部分、つまり室内側部分の耐水性を向上している。
これによって、浴室用の窓としてある。
【００１７】
前記内窓３は窓枠３ａに障子３ｂを引き違いに装着した引き違い窓で、その窓枠３ａ、障子３ｂの框は樹脂製で、内窓３は樹脂製である。
前記窓枠３ａは、上枠３０と下枠４０と左右の縦枠５０を備え、その上枠３０、下枠４０の室外側寄りと室内側寄りに障子装着部、例えば上レール３１、下レール４１を有し、この上レール３１、下レール４１に沿って障子３ｂが面内方向（左右方向）に移動可能に装着されている。
【００１８】
前記開口部１の下内面１ｂ（下の樹脂額縁５の上面）に、アルミ製の下枠アタッチメント８が取り付けてある。
この下枠アタッチメント８は開口部１の左右の縦内面１ｃ（左右の樹脂額縁５の内面）間に連続して取り付けてある。
前記窓枠３ａは、その窓枠３ａの下端部、例えば下枠４０と左右の縦枠５０の下端面が前記下枠アタッチメント８に接し、窓枠３ａの上端部、例えば上枠３０と左右の縦枠５０の上端面が開口部１の上内面１ａ（上の樹脂額縁５の内面）に接すると共に、窓枠３ａの左右の縦部、例えば左右の縦枠５０が開口部１の左右の縦内面１ｃ（左右の樹脂額縁５の内面）に接して取り付けてある。
【００１９】
このようであるから、内窓３の窓枠３ａの下枠４０の障子装着部（下レール４１）に負荷する障子重量は下枠アタッチメント８の窓枠３ａの下端部が接した部分の全面で受け、下枠アタッチメント８の下枠４０の障子装着部（下レール４１）と対向した部分に応力が集中することがなく、この下枠アタッチメント８を取り付けた開口部１の下内面１ｂの一部分に応力が集中することがないので、その下内面１ｂが変形することがない。
特に、前述のように下内面１ｂが樹脂額縁５の場合に、その樹脂額縁５が大きく変形することがない。
【００２０】
前記下枠アタッチメント８は図３に示すように、室内側の窓枠取付部８ａと室外側の取付部８ｂを備え、その取付部８ｂの室外側端を外窓２の下枠２１の取付片２３に載置し、その取付部８ｂから固着具９を取付片２３、樹脂額縁５を挿通して建物躯体、例えば窓台に固着して下枠アタッチメント８を取り付けている。
このようであるから、外窓２と内窓３を面外方向に離隔して両者の間に空間を構成できるから、断熱性能、遮音性能がより優れたものとなる。
【００２１】
しかも、下枠アタッチメント８の窓枠取付部８ａには固着具が存在しないと共に、その窓枠取付部８ａに内窓３の窓枠３ａの下端部を接して取り付けてあるから、内窓３を取り付けた状態で、その窓枠取付部８ａから開口部１の下内面１ｂに結露水や、浴室用の二重窓の場合にはシャワーの湯水、浴室使用時の湯水などが流れることがなく、内窓３を取り付けた後でも開口部１の下内面１ｂの耐水性を損なうことがない。
【００２２】
さらに、下枠アタッチメント８に負荷する内窓３の荷重の一部を、外窓２の下枠２１の取付片２３で支持するので、その内窓３の重量を分散して支持することができる。
【００２３】
前記下枠アタッチメント８の窓枠取付部８ａの室内側端に上向き突条８ｃを有し、窓枠３ａの下部の室内側面がこの上向き突条８ｃに接することで、窓枠３ａの下部が室内側にずれ落ちることを防止できるし、窓枠３ａを位置決めできる。
しかも、前記下枠アタッチメント８の窓枠取付部８ａの室外側端には立上り面８ｄを有し、この立上り面８ｄに窓枠３ａの下部の室外側面が接して窓枠３ａの下部が室外側にずれることを防止できる。
要するに、下枠アタッチメント８の窓枠取付部８ａは、窓枠３ａの下部が嵌まり合う上向き凹陥形状で、窓枠３の下部を室内外側方向に動かないように位置決めして保持できるようにしてあり、かつ立上り面８ｄ部で水だまり対策をしている。
【００２４】
前記下枠アタッチメント８の好ましい具体形状を図３と図４に基づいて説明する。
前記下枠アタッチメント８は、室内側横板８０と、この室内側横板８０の室内側端に設けた上向き片８１と、前記室内側横板８０の室外側端に設けた立上り片８２と、この立上り片８２の上端と連続し室外側に向う室外側横板８３と、この室外側横板８３の下面に設けた下向き片８４を備えたアルミ押出形材の長尺材である。
そして、前記室内側横板８０と上向き片８１と立上り片８２で窓枠取付部８ａを形成し、室外側横板８２が取付部８ｂを形成し、上向き片８１が上向き突条８ｃで、立上り片８２が立上り面８ｄである。
【００２５】
前記下枠アタッチメント８の取り付け手順を説明する。
前述の内窓３を取り付ける以前に下枠アタッチメント８を開口部１の下内面１ｂに接して仮置きし、下枠アタッチメント８の長手方向端面と開口部１の左右の縦内面１ｃとの間に所定の隙間（チリ）が生じるように長さを決定する。このとき、図２に示すように、結露受け２４がある場合には下枠アタッチメント８の室外側寄り左右コーナー部を切欠きして結露受け２４と干渉しないようにする。
【００２６】
前記下枠アタッチメント８を位置決めし、外窓２の下枠２１の取付片２３を固定している固着具６の出入方向を目安として下枠アタッチメント８の取付部８ｂの取付用穴に合わせて取付片２３に下穴の位置をけがく。
この後に、下枠アタッチメント８を取り外して取付片２３とともに下の樹脂額縁５に下穴あける。
下枠アタッチメント８の下面に貼着した両面テープ８５の剥離紙８５ａを剥がして、再度下枠アタッチメント８を仮置きし両面テープ８５で接着固定する。そして前述の取付用の下穴からシーリング材を注入し、その後で固着具９を建物躯体に固着して下枠アタッチメント８を取り付ける。
前述の固着具９を固着できない場合には、図５に示すプラグ８６を打ち込み、そのプラグ８６に固着具９を固着する。
【００２７】
前記内窓３の上枠３０は図４と図６に示すように、面外方向に向かう板状の本体３２と、この本体３２の室内側端に設けた下向き片３３と、前記本体３２に設けた前述の上レール３１と、前記本体３２の面外方向の両端部に上向きに一体に設けた室内側シール片３４、室外側シール片３５を備え、その本体３２の面外方向中間部の上面に接着剤、例えば両面テープ３６が接着してある。
【００２８】
前記内窓３の下枠４０は、図３、図４に示すように、面外方向に向かう板状の本体４２と、この本体４２に設けた前述の下レール４１と、前記本体４２の面外方向の両端部に下向きに一体に設けた室内側シール材４３、室外側シール片４４を備え、その本体４２の面外方向中間部の下面に接着剤、例えば両面テープ４５が接着してある。
【００２９】
前記内窓３の左右の縦枠５０は図４と図７に示すように、面外方向に向かう板状の本体５１と、この本体４１の面外方向両端部に一体に設けた室内側内向片５２、室外側外向片５３と、本体４１の面外方向中間部に設けた中間内向片５４と、この中間内向片５４の先端部に一体に設けたシール片５５と、本体５１の面外方向両端部に外向きに一体に設けた室内側シール片５６、室外側シール片５７を備え、この室内側内向片５２と室外側内向片５３の外側面間の面外方向の寸法が前記下枠アタッチメント８の上向き突条８ｃと立上り面８ｄ間の面外方向の寸法と同一で、内側面間の面外方向の寸法が前記上枠３０、下枠４０の面外方向の寸法と同一である。なお、同一とは全く同じ場合のみではなく、若干異なる場合も含むものとする。
前記左側の縦枠５０は、そのシール片５５は室外側に向かい、室外側の障子３ｂと接し、右側の縦枠５０は、そのシール片５５が室内側に向かい、室内側の障子３ｂと接するようにしてある。
前記本体５１の面外方向両側寄りに接着剤、例えば両面テープ５８がそれぞれ接着してある。
【００３０】
次に内窓３の窓枠３ａを取り付ける手順を説明する。
左右の縦枠５０の下端部を、下枠アタッチメント８の窓枠取付部８ａに嵌め込み、面外方向に位置決めし、その縦枠５０を開口部１の縦内面１ｃに接して、その縦枠５０の上端部を面外方向に位置決めし、その縦枠５０に沿って縦内面１ｃに線を引き、縦枠５０の位置を示すけがき線とする。
この後、縦枠５０を取り外し、両面テープ５８の剥離紙５８ａを剥がし、縦枠５０を前述のけがき線に合わせて取り付け、両面テープ５８で接着して取り付ける。
前記室内側シール片５６、室外側シール片５７が開口部１の左右縦内面１ｃに接し、縦枠５０と縦内面１ｃとの間をシールしている。
【００３１】
前記上枠３０を、その長手方向両端部を左右の縦枠５０の室内側内向片５２と室外側内向片５３間の上部寄りに嵌め合わせて仮取り付けする。
このとき、左右の縦枠５０の中間内向き片５４の上部寄り部分が上枠３０と干渉するので、その中間内向片５４の上部寄り部分を切除し、上枠３０の長手方向両端面が左右の縦枠５０の本体５１の内側面に接するようにする。
具体的には、上枠３０は樹脂製で弾性変形し易いので、上枠３０を長手方向中間部が両端部よりも下方に位置するように下向き円弧形状（弓形状）に弾性変形して左右の縦枠５０間に配設し、その状態で上枠３０を真直ぐに弾性変形復元して長手方向両端面を左右の縦枠５０の本体５１の内面に強く押しつけて仮取り付けする。
【００３２】
前述の状態で上枠３０の長手方向両端部は左右の縦枠５０の室内側内向片５２と室外側内向片５３で室内外方向に位置決めされるので、長手方向中間部を両端部に合わせて室内外方向に位置決めする。
前述の状態で上枠３０の取付用穴に合わせて開口部１の上内面１ａ（上の樹脂額縁５）に下穴の位置をけがく。
この後に上枠３０を取り外し、開口部１の上内面１ａに下穴をあけ、その下穴に図６に示すように前述した２プラグ３７を圧入して取り付け、そのプラグ３７部分をシール材でシールする。
【００３３】
前記上枠３０の両面テープ３６の剥離紙３６ａを剥がし、上枠３０を前述のようにして左右の縦枠５０間に取り付けると共に、両面テープ３６を開口部１の上内面１ａに接着して取り付け、前述の取付用の下穴にシール材を注入し、固着具３８をプラグ３７に固着して上枠３０を取り付ける。
前記室内側シール片３４、室外側シール片３５が開口部１の上内面１ａに圧接して上枠３０と上内面１ａとの間をシールする。
【００３４】
次に、下枠４０を左右の縦枠５０の室内側内向片５２と室外側内向片５３との間に、前述の上枠３０と同様にして取り付ける。
つまり、縦枠５０の中間内向片５４の下端部を切欠きして下枠４０と干渉しないようにしてある。
前記室内側シール片４３と室外側シール片４４が下枠アタッチメント８の窓枠取付部８ａに圧接し、下枠４０と下枠アタッチメント８の窓枠取付部８ａとの間をシールする。
【００３５】
前述のように、下枠４０を取り付けた状態では、図３に示すように、本体４２の上面、つまり下枠４０の上面が下枠アタッチメント８の取付部８ｂの上面と面一に連続するので、図２に示すように下枠４０の室外側の下レール４１の長手方向一端部を切欠きすることにより、その切欠き部分４１ａを通して下枠４０上の結露水等を下枠アタッチメント８を経て外窓２側に排水することができる。なお、下枠４０の上面が取付部８ｂの上面よりも少し高くしても良い。
また、下枠４０の室内側の下レール４１の長手方向他端部を切欠きし、その切欠き部分４１ｂを通して下枠４０上の結露水、浴室用の二重窓の場合にはシャワーの湯水、浴室使用時の湯水等を室内側に排水することが可能である。
【００３６】
前述のように、左右の縦枠５０の下部を下枠アタッチメント８の窓枠取付部８ａに嵌め合わせるようにして取り付けることで、左右の縦枠５０の下部を室内外方向に位置決めでき、この左右の縦枠５０の室内側内向片５２と室外側内向片５３間に上枠３０、下枠４０を嵌め合わせるようにして取り付けることで室内外方向に位置決めできるので、窓枠３ａを簡単に取り付けできる。
【００３７】
しかも、縦枠５０、上枠３０、下枠４０は接着して取り付けてあるから、窓枠３ａを一層簡単に取り付けできる。
【００３８】
さらに、上枠３０は固着具３８で固着して取り付けてあるので、接着が剥がれても上枠３０が脱落することがない。
前記左右の縦枠５０の内面に、上枠３０、下枠４０の長手方向両端面が接しているので、縦枠５０の接着が剥がれても縦枠５０が倒れることなく、窓枠３ａをしっかりと取り付けできる。
前記下枠４０、縦枠５０は固着具で固着していないので、その固着部から結露水等が建物躯体に浸入しない。
【００３９】
前記下枠アタッチメント８の室外側端と外窓２の下枠２１の取付片２３との間、下枠アタッチメント８の左右端と開口部１の左右縦内面１ｃとの間、下枠アタッチメント８の室内側端と開口部１の下内面１ｂとの間、下枠アタッチメント８の上向き突条８ｃと下枠４０の室内側端面、立上り面８ｄと下枠４０の室外側端面との間、縦枠５０と開口部１の上内面１ａ、下内面１ｂとの間が、それぞれシール材１０によってシールしてある（図１、図２に斜線部分参照）。なお、図３、図６、図７にはシール材１０の図示が省略してある。
【００４０】
図３において、開口部１よりも下方の内装材４には補強材６０が取り付けてある。
この補強材６０は、前述のようにプラグ６１にねじ６２を螺合して取り付け、額縁の下部を補強している。
この補強材６０はカバー６３で見えないようにしてある。
【００４１】
前述の実施の形態では、開口部１の内面が樹脂額縁５である場合を示したが、その内面は樹脂額縁５に限ることはない。
例えば、図８と図９に示すようにタイル７０で上内面１ａ、下内面１ｂ、縦内面１ｃとしても良い。
この場合には、下枠アタッチメント８の取付部８ｂの室外側端を外窓２の下枠２１の室内側面２１ａに接する。
前述と同様にして下枠アタッチメント８の取付用穴に合わせてタイル７０に下穴７１をあける。
この下穴７１に図１０に示す筒状のプラグ７２を圧入して取り付け、下枠アタッチメント８の取付用の下穴から固着具９をプラグ７２内に固着して下枠アタッチメント８を取り付ける。
【００４２】
上枠３０も前述と同様に、タイル７０にあけた下穴７３にプラグ７４を圧入して取り付け、このプラグ７４に固着具３８を固着して取り付ける。
【００４３】
また、開口部１の下内面１ｂが水平であれば、下枠アタッチメント８を水平に取り付け、この下枠アタッチメント８の窓枠取付部８ａに窓枠３ａの下端部を接して取り付けることで、窓枠３ａを垂直に取り付けできる。
しかし、開口部１の下内面１ｂが水平ではなく、室内側部が室外側部よりも低くなるように傾斜している場合、例えば、浴室用の窓であって、下内面１ｂに水勾配がある場合には下枠アタッチメント８を水平に取り付けできない。
そこで、例えば図１１に示すように開口部１の下内面１ｂの室内側寄りと下枠アタッチメント８の下面との間に調整材９０（薄い板材）を介在させることで、下枠アタッチメント８を水平に取り付けできるようにする。
【００４４】
前述の実施の形態は階層の二重窓で、外窓２のみの既設の窓を断熱性能、遮音性能に優れた二重窓に簡単に改装することできるが、開口部１に外窓２と内窓３を同時期に取り付けた二重窓としても良い。
【符号の説明】
【００４５】
１…窓取付用の開口部、１ａ…上内面、１ｂ…下内面、１ｃ…縦内面、２…外窓、３…内窓、３ａ…窓枠、３ｂ…障子、８…下枠アタッチメント、８ａ…窓枠取付部、８ｂ…取付部、８ｃ…上向き突条、９…固着具、３０…上枠、３６…両面テープ（接着剤）、３８…固着具、４０…下枠、５０…縦枠、５１…本体、５２…室内側内向片、５３…室外側内向片。
【図１】
0005419092.tif 000002
【図２】
0005419092.tif 000003
【図３】
0005419092.tif 000004
【図４】
0005419092.tif 000005
【図５】
0005419092.tif 000006
【図６】
0005419092.tif 000007
【図７】
0005419092.tif 000008
【図８】
0005419092.tif 000009
【図９】
0005419092.tif 000010
【図１０】
0005419092.tif 000011
【図１１】
0005419092.tif 000012